(57)【要約】【課題】バッテリ側への荷重を軽減させること。【解決手段】バッテリ端子１１０及び電線１５０の端末に対して電気的に接続される電子部品１０と、第１支持体２１及び第２支持体２２を有し、かつ、電子部品を支持する絶縁性の支持部材２０と、を備え、第１支持体は、第１面１００ａに対する第１間隙ｇ１が第１基準間隙ｇｄ１となるように間隔を空けて配置され、第２支持体は、第２面１００ｂに対する第２間隙ｇ２が第２基準間隙ｇｄ２となるように間隔を空けて配置され、第１支持体には、バッテリへの取り付け後に第１基準間隙を保つよう第１面に当接させ、かつ、外部入力に伴う第１間隙の縮小方向への撓みが可能な少なくとも１つの第１バネ部材３０を配置し、第２支持体には、バッテリへの取り付け後に第２基準間隙を保つよう第２面に当接させ、かつ、外部入力に伴う第２間隙の縮小方向への撓みが可能な少なくとも１つの第２バネ部材４０を配置すること。【選択図】図２
2018060651.tif 000002
【特許請求の範囲】
【請求項１】
バッテリの第１面のバッテリポストに物理的且つ電気的に接続されたバッテリ端子に対して電気的に接続され、かつ、電線の端末に対して電気的に接続される電子部品と、
第１支持体及び前記第１支持体に対して交差状態で連なる第２支持体を有し、かつ、前記電子部品を支持する絶縁性の支持部材と、
を備え、
前記第１支持体は、前記第１面に対する第１間隙が前記バッテリへの取り付け後に第１基準間隙となるように間隔を空けて配置され、かつ、前記バッテリ端子の固定部に対して接続させる被固定部を有し、
前記第２支持体は、前記第１面に対して交差する前記バッテリの第２面に対する第２間隙が前記バッテリへの取り付け後に第２基準間隙となるように間隔を空けて配置され、かつ、外方に引き出される前記電線の端末を接続させる接続部を有し、
前記第１支持体には、前記第１面と対向する側に、前記バッテリへの取り付け後に前記第１基準間隙を保つよう前記第１面に当接させ、かつ、外部入力に伴う前記第１間隙の縮小方向への撓みが可能な少なくとも１つの第１バネ部材を配置し、
前記第２支持体には、前記第２面と対向する側に、前記バッテリへの取り付け後に前記第２基準間隙を保つよう前記第２面に当接させ、かつ、外部入力に伴う前記第２間隙の縮小方向への撓みが可能な少なくとも１つの第２バネ部材を配置することを特徴としたバッテリ用接続ユニット。
【請求項２】
前記第１及び第２のバネ部材は、弧状に形成された板バネであり、
前記第１支持体は、前記撓みに応じて前記第１バネ部材の周方向における両端の被支持部を各々相対移動させつつ支持することが可能な第１バネ支持部を有し、
前記第２支持体は、前記撓みに応じて前記第２バネ部材の周方向における両端の被支持部を各々相対移動させつつ支持することが可能な第２バネ支持部を有することを特徴とした請求項１に記載のバッテリ用接続ユニット。
【請求項３】
前記電子部品は、ヒューズ回路体であることを特徴とした請求項１又は２に記載のバッテリ用接続ユニット。
【請求項４】
バッテリの第１面のバッテリポストに物理的且つ電気的に接続されたバッテリ端子に対して電気的に接続され、かつ、電線の端末に対して電気的に接続される電子部品と、第１支持体及び前記第１支持体に対して交差状態で連なる第２支持体を有し、かつ、前記電子部品を支持する絶縁性の支持部材と、を備えるバッテリ用接続ユニットの取付構造であって、
前記第１支持体は、前記第１面に対する第１間隙が前記バッテリへの取り付け後に第１基準間隙となるように間隔を空けて配置され、かつ、前記バッテリ端子の固定部に対して接続させる被固定部を有するものであり、前記第１面と対向する側に、前記バッテリへの取り付け後に前記第１基準間隙を保つよう前記第１面に当接し、かつ、外部入力に伴う前記第１間隙の縮小方向への撓みが可能な少なくとも１つの第１バネ部材を備え、
前記第２支持体は、前記第１面に対して交差する前記バッテリの第２面に対する第２間隙が前記バッテリへの取り付け後に第２基準間隙となるように間隔を空けて配置され、かつ、外方に引き出される前記電線の端末を接続させる接続部を有するものであり、前記第２面と対向する側に、前記バッテリへの取り付け後に前記第２基準間隙を保つよう前記第２面に当接し、かつ、外部入力に伴う前記第２間隙の縮小方向への撓みが可能な少なくとも１つの第２バネ部材を備えることを特徴としたバッテリ用接続ユニットの取付構造。
【発明の詳細な説明】
【技術分野】
【０００１】
本発明は、バッテリ用接続ユニット及びバッテリ用接続ユニットの取付構造に関する。
【背景技術】
【０００２】
従来、バッテリに対して取り付けられるバッテリ用接続ユニットが知られている。そのバッテリ用接続ユニットは、電子部品が支持部材で支持されたものであり、方体状のバッテリにおける直交する２つの面に沿って設置された上で、バッテリ端子（一方の面に設けたバッテリポストに対して物理的且つ電気的に接続されたもの）を介してバッテリに取り付けられる。支持部材は、そのようなバッテリに対する配置を成すべく、そのバッテリの２つの面に沿うようＬ字状に成形されている。このバッテリ用接続ユニットにおいては、その電子部品に対して電気的に接続される電線の端末が支持部材で支持されると共に、この電線が支持部材よりも外方へと引き出されている。例えば、車両用のバッテリには、正極側と負極側のそれぞれのワイヤハーネスに加えて、回路保護ユニット等がバッテリ用接続ユニットとして取り付けられている。下記の特許文献１及び２には、回路保護ユニットとしてのヒューズユニットが開示されている。そのヒューズユニットは、保護対象となる保護回路上に配置された電子部品としての回路保護部品（ヒューズ回路体）と、この回路保護部品を支持する支持部材と、を備える。
【先行技術文献】
【特許文献】
【０００３】
【特許文献１】特開２００１−２５６８７８号公報
【特許文献２】特開２００９−１１０８５６号公報
【発明の概要】
【発明が解決しようとする課題】
【０００４】
ところで、バッテリが車両に搭載された場合には、路面入力等に伴う車体の振動がバッテリや電線に伝わり、その振動がバッテリや電線を介した外部入力としてバッテリ用接続ユニットに伝達される。このため、バッテリ用接続ユニットは、その外部入力に応じた荷重をバッテリ端子やバッテリポストに作用させる可能性がある。例えば、バッテリ用接続ユニットにおいては、電線が支持部材から引き出されているので、この電線の車体に対する相対移動量の方がバッテリの車体に対する相対移動量よりも大きくなり、バッテリ側からの外部入力よりも電線からの外部入力の方が大きくなる可能性がある。このため、その可能性が現実のものとなった際には、電線からの外部入力によって、バッテリ端子やバッテリポストへのバッテリ用接続ユニットからの荷重が大きくなってしまう可能性がある。
【０００５】
そこで、本発明は、バッテリ側への荷重の軽減が可能なバッテリ用接続ユニット及びバッテリ用接続ユニットの取付構造を提供することを、その目的とする。
【課題を解決するための手段】
【０００６】
上記目的を達成する為、本発明に係るバッテリ用接続ユニットは、バッテリの第１面のバッテリポストに物理的且つ電気的に接続されたバッテリ端子に対して電気的に接続され、かつ、電線の端末に対して電気的に接続される電子部品と、第１支持体及び前記第１支持体に対して交差状態で連なる第２支持体を有し、かつ、前記電子部品を支持する絶縁性の支持部材と、を備え、前記第１支持体は、前記第１面に対する第１間隙が前記バッテリへの取り付け後に第１基準間隙となるように間隔を空けて配置され、かつ、前記バッテリ端子の固定部に対して接続させる被固定部を有し、前記第２支持体は、前記第１面に対して交差する前記バッテリの第２面に対する第２間隙が前記バッテリへの取り付け後に第２基準間隙となるように間隔を空けて配置され、かつ、外方に引き出される前記電線の端末を接続させる接続部を有し、前記第１支持体には、前記第１面と対向する側に、前記バッテリへの取り付け後に前記第１基準間隙を保つよう前記第１面に当接させ、かつ、外部入力に伴う前記第１間隙の縮小方向への撓みが可能な少なくとも１つの第１バネ部材を配置し、前記第２支持体には、前記第２面と対向する側に、前記バッテリへの取り付け後に前記第２基準間隙を保つよう前記第２面に当接させ、かつ、外部入力に伴う前記第２間隙の縮小方向への撓みが可能な少なくとも１つの第２バネ部材を配置することを特徴としている。
【０００７】
ここで、前記第１及び第２のバネ部材は、弧状に形成された板バネであり、前記第１支持体は、前記撓みに応じて前記第１バネ部材の周方向における両端の被支持部を各々相対移動させつつ支持することが可能な第１バネ支持部を有し、前記第２支持体は、前記撓みに応じて前記第２バネ部材の周方向における両端の被支持部を各々相対移動させつつ支持することが可能な第２バネ支持部を有することが望ましい。
【０００８】
例えば、前記電子部品は、ヒューズ回路体である。
【０００９】
また、上記目的を達成する為、本発明に係るバッテリ用接続ユニットの取付構造は、バッテリの第１面のバッテリポストに物理的且つ電気的に接続されたバッテリ端子に対して電気的に接続され、かつ、電線の端末に対して電気的に接続される電子部品と、第１支持体及び前記第１支持体に対して交差状態で連なる第２支持体を有し、かつ、前記電子部品を支持する絶縁性の支持部材と、を備える。そして、前記第１支持体は、前記第１面に対する第１間隙が前記バッテリへの取り付け後に第１基準間隙となるように間隔を空けて配置され、かつ、前記バッテリ端子の固定部に対して接続させる被固定部を有するものであり、前記第１面と対向する側に、前記バッテリへの取り付け後に前記第１基準間隙を保つよう前記第１面に当接し、かつ、外部入力に伴う前記第１間隙の縮小方向への撓みが可能な少なくとも１つの第１バネ部材を備え、前記第２支持体は、前記第１面に対して交差する前記バッテリの第２面に対する第２間隙が前記バッテリへの取り付け後に第２基準間隙となるように間隔を空けて配置され、かつ、外方に引き出される前記電線の端末を接続させる接続部を有するものであり、前記第２面と対向する側に、前記バッテリへの取り付け後に前記第２基準間隙を保つよう前記第２面に当接し、かつ、外部入力に伴う前記第２間隙の縮小方向への撓みが可能な少なくとも１つの第２バネ部材を備えることを特徴としている。
【発明の効果】
【００１０】
本発明に係るバッテリ用接続ユニット及びバッテリ用接続ユニットの取付構造は、第１バネ部材と第２バネ部材によって、バッテリや電線から外部入力が加えられた際に、その外部入力に伴うバッテリ用接続ユニット自身への負荷を軽減させることができる。従って、このバッテリ用接続ユニット及びバッテリ用接続ユニットの取付構造は、バッテリ用接続ユニット自身の耐久性の低下を抑えることができる。更に、このバッテリ用接続ユニット及びバッテリ用接続ユニットの取付構造は、第１バネ部材と第２バネ部材によって、バッテリや電線から外部入力が加えられた際に、バッテリ用接続ユニット自身がバッテリ端子やバッテリポストに作用させる荷重を軽減させることができる。従って、このバッテリ用接続ユニット及びバッテリ用接続ユニットの取付構造は、バッテリ端子やバッテリポストの耐久性の低下を抑えることができるので、延いてはバッテリの耐久性の低下も抑えることができる。
【図面の簡単な説明】
【００１１】
【図１】図１は、バッテリに取り付けられた実施形態のバッテリ用接続ユニットを示す斜視図である。
【図２】図２は、バッテリに取り付けられた実施形態のバッテリ用接続ユニットを示す側面図である。
【図３】図３は、バッテリに取り付けられた実施形態のバッテリ用接続ユニットを示す正面図である。
【図４】図４は、バッテリに取り付けられた実施形態のバッテリ用接続ユニットを示す上面図である。
【図５】図５は、バッテリに取り付けられる前の実施形態のバッテリ用接続ユニットを示す斜視図である。
【図６】図６は、電子部品の一例を示す斜視図である。
【図７】図７は、バッテリ用接続ユニットを別角度から見た斜視図である。
【図８】図８は、バッテリ用接続ユニットから第１及び第２のバネ部材が取り外された状態を示す斜視図である。
【図９】図９は、第１及び第２のバネ部材を示す斜視図である。
【図１０】図１０は、図２のＸ−Ｘ線断面図であって、第１バネ部材及びその周辺を拡大した図である。
【図１１】図１１は、図１０から第１バネ部材を取り除いた第１バネ収容部及び第１バネ支持部の説明図である。
【図１２】図１２は、図２のＹ−Ｙ線断面図であって、第２バネ部材及びその周辺を拡大した図である。
【図１３】図１３は、図１２から第２バネ部材を取り除いた第２バネ収容部及び第２バネ支持部の説明図である。
【発明を実施するための形態】
【００１２】
以下に、本発明に係るバッテリ用接続ユニット及びバッテリ用接続ユニットの取付構造の実施形態を図面に基づいて詳細に説明する。尚、この実施形態によりこの発明が限定されるものではない。
【００１３】
［実施形態］
本発明に係るバッテリ用接続ユニット及びバッテリ用接続ユニットの取付構造の実施形態の１つを図１から図１３に基づいて説明する。
【００１４】
図１から図５の符号１は、本実施形態のバッテリ用接続ユニットを示す。バッテリ用接続ユニット１とは、バッテリ１００に接続される接続ユニットのことであり、電子部品１０（図５及び図６）と支持部材２０とを備える。また、このバッテリ用接続ユニット１には、バッテリ１００との間に介在させる第１及び第２のバネ部材３０，４０が備えられている（図２）。この例示の方体状のバッテリ１００には、大別した６つの面の内の第１面１００ａにおけるバッテリポスト１０１に対して、導電性のバッテリ端子１１０が物理的且つ電気的に接続されている。バッテリ用接続ユニット１は、そのバッテリ端子１１０に対して物理的且つ電気的に接続させる。
【００１５】
電子部品１０は、バッテリ端子１１０に対して電気的に接続され、かつ、電線１５０の端末に対して電気的に接続される。本実施形態では、電子部品１０として保護回路部品（ヒューズ回路体）を例示しており（図６）、この電子部品１０が一部を外方に露出させた上で支持部材２０に内包されている。この例示の電子部品１０は、金属板を母材とする板状体として成形されており、バッテリ端子１１０の固定部１１１に対して物理的且つ電気的に接続される第１導体１１と、電線１５０の端末に対して物理的且つ電気的に接続される第２導体１２と、第１導体１１と第２導体１２との間に設けた可溶体１３と、を少なくとも有している。
【００１６】
第１導体１１は、バッテリ１００への取り付け後に、一方の平面が第１面１００ａと向き合うように配置されるものである。これに対して、第２導体１２は、バッテリ１００への取り付け後に、一方の平面がバッテリ１００の第２面１００ｂと向き合うように配置されるものである。その第１面１００ａと第２面１００ｂは、互いに交差（ここでは、直交）している面である。第１導体１１と第２導体１２は、その第１面１００ａと第２面１００ｂの交差状態（直交状態）に合わせて交差させている。よって、電子部品１０は、Ｌ字状に折り曲げられている。
【００１７】
この例示において、可溶体１３は、第２面１００ｂと向き合うように配置する。このため、この例示の電子部品１０は、第２導体１２と同一の平面上に配置された第３導体１４を第１導体１１と可溶体１３の間に介在させている。
【００１８】
ここで、バッテリ端子１１０においては、導電性の雄ネジ部材１１２が固定部１１１に設けられている（図１から図５）。その雄ネジ部材１１２は、固定部１１１において、バッテリポスト１０１と同じ向きに突出させている。第１導体１１には、その雄ネジ部材１１２を挿通させる貫通孔１１ａが形成されている（図５及び図６）。この第１導体１１は、その雄ネジ部材１１２を貫通孔１１ａに挿通させることによって固定部１１１に当接させ、雄ネジ部材１１２に雌ネジ部材５１（図１から図５）を螺合させることによってバッテリ端子１１０に対して物理的且つ電気的に接続される。
【００１９】
第２導体１２には、貫通孔１２ａが形成されている（図６）。バッテリ用接続ユニット１は、その貫通孔１２ａに挿通させる雄ネジ部材６１を備えている（図１、図３及び図５）。その雄ネジ部材６１は、電線１５０の端末に設けた導電性の端子１５１の貫通孔１５１ａ（図５）にも挿通させる。第２導体１２は、端子１５１が取り付けられた雄ネジ部材６１に雌ネジ部材５２（図５）を螺合させることによって端子１５１に対して物理的且つ電気的に接続され、これに伴い電線１５０に対して電気的に接続される。
【００２０】
支持部材２０は、合成樹脂等の絶縁性材料で成形する。この例示の支持部材２０は、電子部品１０と貫通孔１２ａに挿通させた雄ネジ部材６１とを金型内に内在させ、その金型内に液状の合成樹脂を流し込むことによって一体成形されたものである。これ故に、電子部品１０と雄ネジ部材６１は、支持部材２０の内方で支持されている。その一体成形に際して、支持部材２０は、第１導体１１における貫通孔１１ａとその周縁とを外方に露出させ、かつ、第２導体１２における貫通孔１２ａとその周縁と雄ネジ部材６１とを外方に露出させ、更に可溶体１３を外方に露出させるよう成形されている。
【００２１】
この支持部材２０は、第１支持体２１と、この第１支持体２１に対して交差状態で連なる第２支持体２２と、を有する（図１から図５）。その第１支持体２１と第２支持体２２は、第１面１００ａと第２面１００ｂの交差状態（直交状態）に合わせて交差させたものであり、Ｌ字状を成している。
【００２２】
第１支持体２１は、第１導体１１を内包させた状態で支持する支持体であり、第１面１００ａに対する第１間隙ｇ１がバッテリ１００への取り付け後に第１基準間隙ｇｄ１となるように間隔を空けて配置される（図２）。この第１支持体２１は、バッテリ端子１１０の固定部１１１に対して接続させる被固定部２１ａを有する。第１支持体２１においては、バッテリ１００への取り付け後（つまり、固定部１１１に接続された際）に、壁面２１ｂが第１面１００ａと対向している。第１間隙ｇ１とは、その第１面１００ａに対向する側の壁面２１ｂと第１面１００ａとの間の間隙のことである。第１基準間隙ｇｄ１とは、その第１間隙ｇ１の基準値であり、バッテリ１００に対するバッテリ用接続ユニット１の取付状態を規定するものとして定めた設計値である。また、壁面２１ｂとは、第１支持体２１において、バッテリ１００への取り付け後に第１面１００ａに対して最も近くなる部位のことである。この例示では、第１支持体２１における第１面１００ａ側の周縁部分等が壁面２１ｂとなる（図７及び図８）。
【００２３】
第２支持体２２は、第２導体１２と第３導体１４と可溶体１３とを内包させた状態で支持する支持体であり、第２面１００ｂに対する第２間隙ｇ２がバッテリ１００への取り付け後に第２基準間隙ｇｄ２となるように間隔を空けて配置される（図２）。この第２支持体２２は、外方に引き出される電線１５０の端末（具体的には、端子１５１）を接続させる接続部２２ａを有する。第２支持体２２においては、バッテリ１００への取り付け後（つまり、第１支持体２１が固定部１１１に接続された際）に、壁面２２ｂが第２面１００ｂと対向している。第２間隙ｇ２とは、その第２面１００ｂに対向する側の壁面２２ｂと第２面１００ｂとの間の間隙のことである。第２基準間隙ｇｄ２とは、その第２間隙ｇ２の基準値であり、バッテリ１００に対するバッテリ用接続ユニット１の取付状態を規定するものとして定めた設計値である。また、壁面２２ｂとは、第２支持体２２において、バッテリ１００への取り付け後に第２面１００ｂに対して最も近くなる部位のことである。この例示では、第２支持体２２における第２面１００ｂ側の平面部分が壁面２２ｂとなる（図７及び図８）。
【００２４】
第１支持体２１には、第１面１００ａと対向する側（ここでは、先に示した壁面２１ｂ側）に、バッテリ１００への取り付け後に第１基準間隙ｇｄ１を保つよう第１面１００ａに当接させ、かつ、外部入力に伴う第１間隙ｇ１の縮小方向への撓みが可能な少なくとも１つの第１バネ部材３０を配置する。更に、第２支持体２２には、第２面１００ｂと対向する側（ここでは、先に示した壁面２２ｂ側）に、バッテリ１００への取り付け後に第２基準間隙ｇｄ２を保つよう第２面１００ｂに当接させ、かつ、外部入力に伴う第２間隙ｇ２の縮小方向への撓みが可能な少なくとも１つの第２バネ部材４０を配置する。
【００２５】
その外部入力とは、車体の振動等に伴ってバッテリ用接続ユニット１に入力される力のことであり、主にバッテリ１００や電線１５０から入力される。例えば、バッテリ１００に伝わった車体の振動は、バッテリポスト１０１を介してバッテリ端子１１０に伝達され、このバッテリ端子１１０を介してバッテリ用接続ユニット１に外部入力として伝わる。また、電線１５０に伝わった車体の振動は、端子１５１を介してバッテリ用接続ユニット１に外部入力として伝わる。バッテリ用接続ユニット１は、外部入力が加えられた際、第１間隙ｇ１や第２間隙ｇ２が小さくなる方向へとバッテリ１００に対して相対移動する可能性がある。そして、バッテリ用接続ユニット１は、その相対移動に伴って、バッテリ端子１１０に荷重を作用させ、このバッテリ端子１１０を介してバッテリポスト１０１に対しても荷重を作用させる。
【００２６】
しかしながら、本実施形態のバッテリ用接続ユニット１は、第１支持体２１と第２支持体２２とに、バッテリ１００に当接すると共に撓みの向きが異なる第１バネ部材３０と第２バネ部材４０とを各々配置しているので、その第１バネ部材３０と第２バネ部材４０とでバッテリ１００や電線１５０からの外部入力を分散させながら吸収することができる。その際、第１バネ部材３０と第２バネ部材４０は、第１間隙ｇ１や第２間隙ｇ２が小さくなる方向へと撓む。このため、バッテリ用接続ユニット１は、その撓み量の分だけバッテリ１００に対して相対移動し、その外部入力に伴う己への負荷が軽減されるので、自らの耐久性の低下を抑えることができる。更に、第１バネ部材３０と第２バネ部材４０は、異なる向きの撓みによって、外部入力を分散させながら吸収するので、一方向のみの撓みで外部入力を吸収させるよりも、それぞれの撓み量を小さくすることができる。このため、このバッテリ用接続ユニット１は、第１バネ部材３０と第２バネ部材４０のそれぞれのバネ力を高めずとも、バッテリ１００に対する相対移動量を小さくすることができるので、外部入力に伴う己への負荷の軽減のみならず、自らが与えるバッテリ端子１１０やバッテリポスト１０１への荷重を軽減させることができる。よって、このバッテリ用接続ユニット１は、自身のみならず、バッテリ端子１１０やバッテリポスト１０１の耐久性の低下をも抑えることができる。例えば、電線１５０は、バッテリ１００と比較して、車体に対する相対移動量が大きくなる可能性があり、バッテリ用接続ユニット１への外部入力を大きくしてしまう虞がある。そのような大きな外部入力がバッテリ用接続ユニット１に入力されたとしても、このバッテリ用接続ユニット１は、外部入力に伴う己への負荷を軽減し、更に、バッテリ端子１１０やバッテリポスト１０１に作用させる荷重を軽減させることができるので、自らの耐久性の低下を抑えつつ、バッテリ端子１１０やバッテリポスト１０１の耐久性の低下も抑えることができる。
【００２７】
以下に、その第１バネ部材３０と第２バネ部材４０の具体例を説明する。
【００２８】
第１バネ部材３０と第２バネ部材４０は、弧状に形成された板バネであり、例えば金属板を母材にして成形される（図９）。第１バネ部材３０と第２バネ部材４０は、各々、弧状に形成された弧状部３１，４１と、この弧状部３１，４１の周方向における両端から径方向外側に突出させた矩形の片状の被支持部３２，４２と、を有している。第１バネ部材３０においては、２つの被支持部３２を同一平面上で互いに逆向きに突出させている。第２バネ部材４０においては、２つの被支持部４２を同一平面上で互いに逆向きに突出させている。
【００２９】
第１バネ部材３０は、バッテリ用接続ユニット１のバッテリ１００への取り付け後に、弧状部３１の外周面をバッテリ１００の第１面１００ａに当接させる（図１０）。この第１バネ部材３０には、その当接状態で外部入力が入力されなければ、第１支持体２１の壁面２１ｂと第１面１００ａとの間で第１基準間隙ｇｄ１を保たせる。このため、第１バネ部材３０は、弧状部３１を壁面２１ｂから突出させた状態で、第１支持体２１の壁面２１ｂ側に支持させる。
【００３０】
第１支持体２１においては、第１間隙ｇ１を第１基準間隙ｇｄ１に保たせるべく、被固定部２１ａから離した位置で第１バネ部材３０を支持させることが望ましい。この例示では、被固定部２１ａが第１支持体２１における自由端側に配置されているので、第１支持体２１における第２支持体２２側で第１バネ部材３０を支持している。また、第１支持体２１においては、第１間隙ｇ１を第１基準間隙ｇｄ１に保たせるべく、自らの延在方向（言うなれば、Ｌ字状における一方の突出方向）におけるバッテリ端子１１０との固定点の延長線上に第１バネ部材３０を支持させることが望ましい。
【００３１】
第１支持体２１は、上記の弧状部３１の突出状態で第１バネ部材３０を収容する第１バネ収容部２１ｃと、その収容状態で被支持部３２を支持する被支持部３２毎の第１バネ支持部２１ｄと、を有する（図８、図１０及び図１１）。第１バネ収容部２１ｃは、方体状に形成された空間である。第１バネ支持部２１ｄは、被支持部３２が挿入される空間であり、第１バネ収容部２１ｃに連通している。この第１バネ収容部２１ｃと第１バネ支持部２１ｄは、第１バネ収容部２１ｃに第１バネ部材３０が収容された際に、被支持部３２を弧状部３１側の根元まで第１バネ支持部２１ｄに挿入させないように形成する。そして、第１バネ支持部２１ｄは、自らの空間内で被支持部３２が挿入方向に沿って相対移動できるように形成すると共に、第１バネ部材３０の撓みに伴い被支持部３２を弧状部３１側の根元まで挿入できるように形成する。これにより、この第１バネ支持部２１ｄは、第１バネ部材３０の撓みに応じて被支持部３２を相対移動させつつ支持することができる。第１バネ部材３０は、バッテリ用接続ユニット１への外部入力に伴い第１間隙ｇ１の縮小方向に撓むことができる一方、その外部入力が無くなった際に、その撓みが解消されて元の形状に戻り、第１間隙ｇ１を第１基準間隙ｇｄ１に戻すことができる。
【００３２】
第２バネ部材４０は、バッテリ用接続ユニット１のバッテリ１００への取り付け後に、弧状部４１の外周面をバッテリ１００の第２面１００ｂに当接させる（図１２）。この第２バネ部材４０には、その当接状態で外部入力が入力されなければ、第２支持体２２の壁面２２ｂと第２面１００ｂとの間で第２基準間隙ｇｄ２を保たせる。このため、第２バネ部材４０は、弧状部４１を壁面２２ｂから突出させた状態で、第２支持体２２の壁面２２ｂ側に支持させる。
【００３３】
第２支持体２２においては、第２間隙ｇ２を第２基準間隙ｇｄ２に保たせるべく、第２バネ部材４０についても、被固定部２１ａから離した位置で支持させることが望ましい。この例示では、第２支持体２２における自由端側で第２バネ部材４０を支持している。また、第２支持体２２においては、第２間隙ｇ２を第２基準間隙ｇｄ２に保たせるべく、自らの幅方向における中央部分で第２バネ部材４０を支持することが望ましい。尚、幅方向とは、自らの延在方向（言うなれば、Ｌ字状における他方の突出方向）対する直交方向で、かつ、雄ネジ部材６１の配列方向のことである。
【００３４】
第２支持体２２は、上記の弧状部４１の突出状態で第２バネ部材４０を収容する第２バネ収容部２２ｃと、その収容状態で被支持部４２を支持する被支持部４２毎の第２バネ支持部２２ｄと、を有する（図８、図１２及び図１３）。第２バネ収容部２２ｃは、方体状に形成された空間である。第２バネ支持部２２ｄは、被支持部４２が挿入される空間であり、第２バネ収容部２２ｃに連通している。この第２バネ収容部２２ｃと第２バネ支持部２２ｄは、第２バネ収容部２２ｃに第２バネ部材４０が収容された際に、被支持部４２を弧状部４１側の根元まで第２バネ支持部２２ｄに挿入させないように形成する。そして、第２バネ支持部２２ｄは、自らの空間内で被支持部４２が挿入方向に沿って相対移動できるように形成すると共に、第２バネ部材４０の撓みに伴い被支持部４２を弧状部４１側の根元まで挿入できるように形成する。これにより、この第２バネ支持部２２ｄは、第２バネ部材４０の撓みに応じて被支持部４２を相対移動させつつ支持することができる。第２バネ部材４０は、バッテリ用接続ユニット１への外部入力に伴い第２間隙ｇ２の縮小方向に撓むことができる一方、その外部入力が無くなった際に、その撓みが解消されて元の形状に戻り、第２間隙ｇ２を第２基準間隙ｇｄ２に戻すことができる。
【００３５】
以上示したように、本実施形態のバッテリ用接続ユニット１及びバッテリ用接続ユニット１の取付構造は、第１バネ部材３０と第２バネ部材４０によって、バッテリ１００や電線１５０から外部入力が加えられた際に、その外部入力に伴うバッテリ用接続ユニット１自身への負荷を軽減させることができる。従って、このバッテリ用接続ユニット１及びバッテリ用接続ユニット１の取付構造は、バッテリ用接続ユニット１自身の耐久性の低下を抑えることができる。更に、このバッテリ用接続ユニット１及びバッテリ用接続ユニット１の取付構造は、第１バネ部材３０と第２バネ部材４０によって、バッテリ１００や電線１５０から外部入力が加えられた際に、バッテリ用接続ユニット１自身がバッテリ端子１１０やバッテリポスト１０１に作用させる荷重を軽減させることができる。従って、このバッテリ用接続ユニット１及びバッテリ用接続ユニット１の取付構造は、バッテリ端子１１０やバッテリポスト１０１の耐久性の低下を抑えることができるので、延いてはバッテリ１００の耐久性の低下も抑えることができる。
【符号の説明】
【００３６】
１  バッテリ用接続ユニット
１０  電子部品
２０  支持部材
２１  第１支持体
２１ａ  被固定部
２１ｂ  壁面
２１ｄ  第１バネ支持部
２２  第２支持体
２２ａ  接続部
２２ｂ  壁面
２２ｄ  第２バネ支持部
３０  第１バネ部材
３１  弧状部
３２  被支持部
４０  第２バネ部材
４１  弧状部
４２  被支持部
１００  バッテリ
１００ａ  第１面
１００ｂ  第２面
１０１  バッテリポスト
１１０  バッテリ端子
１１１  固定部
１５０  電線
ｇ１  第１間隙
ｇ２  第２間隙
ｇｄ１  第１基準間隙
ｇｄ２  第２基準間隙
【図１】
2018060651.tif 000003
【図２】
2018060651.tif 000004
【図３】
2018060651.tif 000005
【図４】
2018060651.tif 000006
【図５】
2018060651.tif 000007
【図６】
2018060651.tif 000008
【図７】
2018060651.tif 000009
【図８】
2018060651.tif 000010
【図９】
2018060651.tif 000011
【図１０】
2018060651.tif 000012
【図１１】
2018060651.tif 000013
【図１２】
2018060651.tif 000014
【図１３】
2018060651.tif 000015